(57)【要約】    【課題】小型、かつ、薄型で、デジタルカメラや携帯電話など、小型の電子機器への適用の可能なノイズ吸収装置を提供する。    【解決手段】第１及び第２のケース部材４、５は、収納部４０、５０と、枠状部４１、５１と、掛止部４６、５６とを有する。収納部４０、５０は両面が開口する。枠状部４１、５１は、収納部４０、５０を包囲しており、収納部４０、５０内に突出する突起４２、４３、５２、５３を有する。掛止部４６、５６は、第１及び第２のケース部材４、５を互いに結合する。第１及び第２の磁性体４、５は、第１及び第２のケース部材４、５の収納部４０、５０内に、枠状部４１、５１の端面から外部に突出しないように配置され、突起４２、４３、５２、５３によって押さえられる。【選択図】      図１
2005045178.tif 000002
【特許請求の範囲】
【請求項１】
第１のケース部材と、第２のケース部材と、第１の磁性体と、第２の磁性体とを含むノイズ吸収装置であって、
前記第１のケース部材及び前記第２のケース部材のそれぞれは、収納部と、枠状部と、掛止部と、第１の押さえ部とを含んでおり、
前記収納部は、両面が開口しており、
前記枠状部は、前記収納部を包囲しており、
前記掛止部は、前記第１のケース部材及び前記第２のケース部材を互いに結合する部分であり、
前記第１の磁性体は、前記第１のケース部材の前記収納部内に、前記枠状部の端面から外部に突出しないように配置されており、
前記第２の磁性体は、前記第２のケース部材の前記収納部内に、前記枠状部の端面から外部に突出しないように配置されており、
前記第１の押さえ部は、前記収納部内に備えられ、バネ性を有し、前記第１のケース部材及び前記第２のケース部材を互いに結合したときに、前記第１の磁性体又は前記第２の磁性体を押圧して互いに圧接させる
ノイズ吸収装置。
【請求項２】
請求項１に記載されたノイズ吸収装置であって、更に、第２の押さえ部を含み、前記第２の押さえ部は、前記収納部内に備えられ、前記第１の押さえ部とは逆方向から、前記第１の磁性体又は前記第２の磁性体を支えるノイズ吸収装置。
【請求項３】
請求項１または２に記載されたノイズ吸収装置であって、前記第１のケース部材及び前記第２のケース部材は、前記収納部を横切る帯状部を有するノイズ吸収装置。
【発明の詳細な説明】
【技術分野】
【０００１】
本発明は、フラットケーブル用ノイズ吸収装置に関する。本発明に係るノイズ吸収装置は、フラットケーブルに装着され、電子機器内で発生し、又は、外部で発生して、フラットケーブル内を伝播するノイズを吸収するために用いられる。
【背景技術】
【０００２】
従来のこの種のノイズ吸収装置は、例えば、特許文献１に記載されているように、ヒンジ部で相互に連結された上ケース部材及び下ケース部材のそれぞれに、半割状の磁性体を収納してあった。上ケース部材及び下ケース部材は、天井面（底面）が閉じられていて、天井面（底面）と対向する一面側だけが、開口してあった。
【０００３】
上述したノイズ吸収装置をフラットケーブルに装着するに当たっては、上ケース部材及び下ケース部材に備えられた掛止部を開放することによって、上ケース部材及び下ケース部材を開き、２つ備えられている磁性体の一方の凹溝内に、フラットケーブルを配置する。そして、上ケース部材及び下ケース部材を閉じ、両者間に備えられた掛止部を掛け止める。これにより、フラットケーブルが２つの磁性体の間に挟まれた状態になる。２つの磁性体において、凹溝の両側に位置する接触面が面接触し、フラットケーブルの周りに、両磁性体による磁路が形成される。
【０００４】
ところで、この種のノイズ吸収装置の適用範囲は、一般的な電子機器から、デジタルカメラや携帯電話など、小型の電子機器へ拡大されてきており、このような用途では、ノイズ吸収装置の、より一層の小型化及び薄型化が要請される。
【０００５】
ところが、従来のノイズ吸収装置は、天井面（底面）を閉じた上ケース部材及び下ケース部材を用いていたため、天井面の部分の厚みを無視することができず、小型化、薄型化に限界があり、時代の要請に応えることが困難であった。
【特許文献１】特開２００１−１４８３１７号公報
【発明の開示】
【発明が解決しようとする課題】
【０００６】
本発明の課題は、２枚の磁性体の厚みによって定まる極限の寸法まで、薄くすることができ、デジタルカメラや携帯電話など、小型の電子機器への適用の可能なノイズ吸収装置を提供することである。
【課題を解決するための手段】
【０００７】
上述した課題を解決するため、本発明に係るノイズ吸収装置は、第１のケース部材と、第２のケース部材と、第１の磁性体と、第２の磁性体と、第１の押さえ部とを含む。
【０００８】
前記第１のケース部材及び前記第２のケース部材のそれぞれは、収納部と、枠状部と、掛止部とを有している。
【０００９】
前記収納部は、両面が開口している。前記枠状部は、前記収納部を包囲し、前記収納部内に突出する押さえ部を有している。前記掛止部は、前記第１のケース部材及び前記第２のケース部材を互いに結合する部分である。
【００１０】
前記第１の磁性体は、前記第１のケース部材の前記収納部内に、前記枠状部の端面から外部に突出しないように配置されており、前記第２の磁性体は、前記第２のケース部材の前記収納部内に、前記枠状部の端面から外部に突出しないように配置されている。
【００１１】
前記第１の押さえ部は、前記収納部内に備えられ、バネ性を有し、前記第１のケース部材及び前記第２のケース部材を互いに結合したときに、前記第１の磁性体及び前記第２の磁性体を押圧して圧接させる。
【００１２】
上述したように、第１のケース部材及び第２のケース部材のそれぞれは、磁性体を収納する収納部を有しており、収納部は、開口している。したがって、第１の磁性体及び第２の磁性体を、第１のケース部材及び第２のケース部材に備えられた収納部の開口を通して、その内部に配置することができる。
【００１３】
本発明に係るノイズ吸収装置は、第１の押さえ部を含んでおり、第１の押さえ部は、収納部内に備えられ、バネ性を有し、第１のケース部材及び第２のケース部材を互いに結合したときに、第１の磁性体及び第２の磁性体を押圧する。これにより、第１の磁性体及び第２の磁性体を、第１のケース部材及び第２のケース部材の内部に安定に支持したノイズ吸収装置が得られる。
【００１４】
第１のケース部材及び第２のケース部材のそれぞれに備えられた収納部は、両面が開口している。即ち、第１のケース部材及び第２のケース部材のそれぞれは、従来と異なって、天井面（底面）を持たない。したがって、天井面（底面）の厚み分を省略し、著しく薄型化し得る。例えば、第１の磁性体及び第２の磁性体の厚みを、第１のケース部材及び第２のケース部材の厚みに一致させ、第１の磁性体及び第２の磁性体の厚みによって定まる極限の寸法まで、薄くすることができる。
【００１５】
第１のケース部材及び第２のケース部材は、互いに組み合わされた状態で、相対する位置にケーブル入口及びケーブル出口を構成する。この構造によれば、第１のケース部材及び第２のケース部材を開き、第１の磁性体及び第２の磁性体の間にフラットケーブルを配置することができる。第１の磁性体及び第２の磁性体によって挟まれたフラットケーブルは、ケーブル挿通路の両端から外部に導出される。このとき、フラットケーブルの周りに、両磁性体による閉磁路が形成される。この閉磁路により、電子機器内で発生し、又は外部で発生して、フラットケーブル内を伝播するノイズが吸収される。
【００１６】
好ましくは、第１の押さえ部とともに、第２の押さえ部を含む。第２の押さえ部は、収納部内に備えられ、第１の押さえ部とは逆方向から、第１の磁性体又は第２の磁性体を支える。このような構造であると、第１の磁性体及び第２の磁性体を安定に支持し、安定したノイズ吸収特性を確保することができる。
【００１７】
具体的態様として、第１のケース部材及び第２のケース部材は、一端がヒンジ部によって結合されて一体化される。この場合、掛止部は、他端側に設けられる。この構造によれば、第１のケース部材及び第２のケース部材を、ヒンジ部を中心にして重ねあわせ、掛止部で互いに結合できるので、フラットケーブルに対する装着操作性がよくなる。
【００１８】
上記とは異なって、第１のケース部材及び第２のケース部材は、互いに独立していてもよい。この場合には、第１のケース部材及び第２のケース部材を全く同一の構造となし得るので、型代のコストダウンなどに有効である。
【００１９】
別の具体的態様として、第１のケース部材及び第２のケース部材は、収納部を横切る帯状部を有することも、第１の磁性体及び第２の磁性体の密着性の向上、安定した押さえという観点から、有効である。帯状部は、横、縦又は両者の方向に設けることができる。
【００２０】
別の具体的態様として、第１のケース部材及び第２のケース部材の少なくとも一方が、枠状部に、外部取り付け部を有する構造も、回路基板などに対する装着のしやすさ、装着後の安定性、脱落防止などの観点から、有効である。
【００２１】
好ましくは、第１のケース部材及び第２のケース部材の何れか一方は、フラットケーブル入口及びフラットケーブル出口の少なくとも一方に、ケーブル押さえ部を有する。このような構造であると、フラットケーブルに対して、浮動しないように、固定して装着できる。
【発明の効果】
【００２２】
以上述べたように、本発明によれば、２枚の磁性体の厚みによって定まる極限の寸法まで、薄くすることができ、デジタルカメラや携帯電話など、小型の電子機器への適用の可能なノイズ吸収装置を提供することができる。
【００２３】
本発明の他の目的、構成及び利点は添付された図面を参照して、更に詳しく説明する。
【発明を実施するための最良の形態】
【００２４】
図１は本発明に係るノイズ吸収装置について、その開いた状態を示す分解斜視図、図２は図１に示したノイズ吸収装置の組み立て状態における斜視図、図３は図１及び図２に示したノイズ吸収装置の閉じた状態の断面図である。図示されたノイズ吸収装置は、ケース１と、第１の磁性体２と、第２の磁性体３と、第２の押さえ部４２と、第１の押さえ部４３とを含む。図示されたノイズ吸収装置は、図３の閉じた状態で、例えば、１２ｍｍ×６ｍｍ×２ｍｍ程度の微小部品となる。勿論、その寸法は、適用すべきフラットケーブルの幅などに応じて変化する。
【００２５】
ケース１は、第１のケース部材４と、第２のケース部材５とを含む。第１のケース部材４は、収納部４０と、枠状部４１と、掛止部４６とを有する。収納部４０は、第１の磁性体２を収納する部分であって、第１の磁性体２の外形形状に対応した形状を有する。図示実施例において、第１の磁性体２は外形形状が、全体として、長方形状であるので、収納部４０の形状も、長方形状になる。
【００２６】
枠状部４１は、収納部４０を包囲しており、その形状を画定している。したがって、枠状部４１は、全体として、長方形状である。枠状部４１は、収納部４０内に突出する第１の押さえ部４３と、第２の押さえ部４２とを有する。第１の押さえ部４３は、収納部４０の内側面に備えられ、バネ性を有するように、細長く突出している。第１の押さえ部４３は、第１のケース部材４及び第２のケース部材５を互いに結合したときに、第１の磁性体２及び第２の磁性体３を押圧する。第２の押さえ部４２は、第１の磁性体２を下面側から支える。
【００２７】
図示実施例において、第２の押さえ部４２は、枠状部４１の２つの長辺部に、間隔を隔てて、合計４個設けられている。第２の押さえ部４２は、上面が下降傾斜する傾斜面となっている。第１の押さえ部４３は、合計２つであり、枠状部４１の２つの短辺の中間部に、互いに対向するように設けられている。第１の押さえ部４３及び第２の押さえ部４２の個数は任意であり、図示実施例に限定されない。
【００２８】
掛止部４６は、図示実施例では、内側の掛け止め孔を有する枠状であり、枠状部４１の短辺に備えられている。
【００２９】
同様に、第２のケース部材５は、収納部５０と、枠状部５１と、掛止部５６とを有する。収納部５０は、第２の磁性体３を収納する部分であって、第２の磁性体３の外形形状に対応した形状を有する。図示実施例において、第２の磁性体３は外形形状が、全体として、長方形状であるので、収納部５０も、長方形状になる。
【００３０】
枠状部５１は、収納部５０を包囲しており、その形状を画定している。したがって、枠状部５１は、全体として、長方形状である。枠状部５１は、収納部５０内に突出する第２の押さえ部５２と、第１の押さえ部５３とを有する。第１の押さえ部５３は、収納部５０の内側面に備えられ、バネ性を有するように、細長くなっている。第１の押さえ部５３は、第１のケース部材４及び第２のケース部材５を互いに結合したときに、第１の磁性体２及び第２の磁性体３を押圧する。第２の押さえ部５２は、第１の磁性体３を下面側から支える。
【００３１】
図示実施例において、第１の押さえ部５３は、合計２つであり、枠状部５１の２つの短辺の中間部に、互いに対向するように設けられている。第２の押さえ部５２は、枠状部５１の２つの長辺部に、間隔を隔てて、合計４個設けられている。第２の押さえ部５２は、上面が下降傾斜する傾斜面となっている。第２の押さえ部５２及び第１の押さえ部５３の個数は任意であり、図示実施例に限定されない。
【００３２】
掛止部５６は、第１のケース部材４に設けられた掛止部４６との間で掛止機構を構成すべく、フック状に形成され、枠状部５１の短辺に設けられている。
【００３３】
第１のケース部材４及び第２のケース部材５は、互いに組み合わされ、図５において掛止部４６、５６が互いに掛け止められたた状態で、相対する位置にケーブル入口１１及びケーブル出口１２を構成する。
【００３４】
第１のケース部材４及び第２のケース部材５は、その短辺が辺ヒンジ部１０によって連結されている。ヒンジ部１０は、第１のケース部材４及び第２のケース部材５と同体であり、その厚み選定によって可撓性が付与されている。
【００３５】
図１において第１の磁性体２は、一面に、凹部２０と、接触面２１、２２と、第１の切欠２３とを備える。凹部２０は、一方向に延び、両端が開放されている。接触面２１、２２は、凹部２０の両側において、凹部２０の底面から立ち上がり、凹部２０に沿って延びている。第１の切欠２３は、第１の磁性体２の２つの長辺に合計４個設けられる。第１の切欠２３には、第１のケース部材４に設けられた第２の押さえ部４２が掛け止められる。第１の磁性体２の他面側には、２つの短辺の略中間部に、第２の切欠２４が設けられている。第２の切欠２４には、第１の押さえ部４３が、図１において、下側から入り込む。第１の磁性体２は、第１の切欠２３に入る第２の押さえ部４２と、第２の切欠２４に入る第１の押さえ部４３との間に挟み込まれ、第１のケース部材４の有する弾力性によって、その内部に保持される。
【００３６】
第２の磁性体３も、第１の磁性体２と同じ形状、構造を有する。即ち、第２の磁性体３は、一面に、凹部３０と、接触面３１、３２と、第１の切欠３３とを備える。凹部３０は、一方向に延び、両端が開放されている。接触面３１、３２は、凹部３０の両側において、凹部３０の底面から立ち上がり、凹部３０に沿って延びている。第１の切欠３３は、第２の磁性体３の２つの長辺に合計４個設けられる。第１の切欠３３には、第２のケース部材５に設けられた第２の押さえ部５２が掛け止められる。第２の磁性体３の他面側には、２つの短辺の略中間部に、第２の切欠３４が設けられている。第２の切欠３４には、第１の押さえ部５３が、図１において、下側から入り込む。第２の磁性体３は、第１の切欠３３に入る第２の押さえ部５２と、第２の切欠３４に入る第１の押さえ部５３との間に挟み込まれ、第２のケース部材５の有する弾力性によって、その内部に保持される。
【００３７】
第１の磁性体２及び第２の磁性体３の接触面（２１、２２）、（３１、３２）の内、接触面２１と接触面３２、及び、接触面２２と接触面３１とは、第１のケース部材４及び第２のケース部材５を組み合わせたとき、互いに対向して密着する関係にある。第１の磁性体２及び第２の磁性体３を構成する材料としては、例えば、フェライト磁性材料、金属磁性材料、複合磁性材料等の各種磁性材料を用いることができる。複合磁性材料としては、フェライト粉又は金属磁性粉と、合成樹脂とを混合した複合磁性材料の例を挙げることができる。これらの材料は、吸収しようとする周波数成分に応じて、適宜選択使用することができる。
【００３８】
上述したように、本発明に係るノイズ吸収装置では、第１のケース部材４及び第２のケース部材５のそれぞれは、第１の磁性体２、及び、第２の磁性体３を収納する収納部４０、５０を有しており、収納部４０、５０は、両面が開口している。したがって、第１の磁性体２及び第２の磁性体３は、第１のケース部材４及び第２のケース部材５に備えられた収納部４０、５０の開口を通して、その内部に配置することができる。
【００３９】
枠状部４１、５１は、収納部４０、５０内に突出して第１の磁性体２及び第２の磁性体３を押さえる第２の押さえ部４２、５２、及び、第１の押さえ部４３、５３を有する。第１の磁性体２は、第１のケース部材４の収納部４０内において、第２の押さえ部４２、及び、第１の押さえ部４３によって押さえられ、第２の磁性体３も、第２のケース部材５の収納部５０内において、第２の押さえ部５２、及び、第１の押さえ部５３によって押さえられる。これにより、第１の磁性体２及び第２の磁性体３を、第１のケース部材４及び第２のケース部材５の内部に安定に支持したノイズ吸収装置が得られる。
【００４０】
第１のケース部材４及び第２のケース部材５のそれぞれに備えられた収納部４０、５０は、両面が開口している。即ち、第１のケース部材４及び第２のケース部材５のそれぞれは、従来と異なって、天井面（底面）を持たない。したがって、天井面（底面）の厚み分を省略し、著しく薄型化し得る。例えば、第１の磁性体２及び第２の磁性体３の厚みを、第１のケース部材４及び第２のケース部材５の厚みに一致させ、第１の磁性体２及び第２の磁性体３の厚みによって定まる極限の寸歩まで、薄くすることができる。
【００４１】
具体例として、従来品では、厚み１ｍｍのフェライトコアを２枚重ねてノイズ吸収装置を作成した場合、フェライトコアの総厚みは、１ｍｍ×２となり、２ｍｍとなってしまう。これにケースの厚みが加わり、ノイズ吸収装置の総厚み（高さ）は３．５ｍｍとなっていた。本発明では、同様に厚み１ｍｍのフェライトコアを２枚重ねてノイズ吸収装置を作成した場合、フェライトコアの総厚み２ｍｍで変わらないが、ケースは高さ方向の余分な肉厚がないため、ノイズ吸収装置の総厚み（高さ）は、フェライトコアの総厚み２ｍｍのみとなり、限界まで低背化することが可能となった。
【００４２】
更に、図示実施例では、第２の押さえ部４２、５２と、第１の押さえ部４３、５３とを含む。第２の押さえ部４２、５２は、第１の磁性体２及び第２の磁性体３を上面側から押さえ、第１の押さえ部４３、５３は、第１の磁性体２及び第２の磁性体３を下面側から押さえる。このような構造であると、第１の磁性体２及び第２の磁性体３を安定に支持し、安定したノイズ吸収特性を確保することができる。
【００４３】
図４は図１乃至図３に示したノイズ吸収装置の使用に当たって開いた状態を示す図、図５は、図１乃至図３に示したノイズ吸収装置の使用状態を示す図である。図示するように、本発明に係るノイズ吸収装置は、フラットケーブルＦＰＣに装着して用いられる。フラットケーブルＦＰＣは、電子機器（図示しない）に接続される。電子機器の代表例は、限定するものではないが、デジタルカメラや携帯電話など、小型の電子機器である。
【００４４】
フラットケーブルＦＰＣは、第１のケース部材４及び第２のケース部材５のそれぞれに設けられた凹部２０、３０内に配置される（図４参照）。第１のケース部材４及び第２のケース部材５は、互いに組み合わされた状態で、相対する位置にケーブル入口１１及びケーブル出口１２を構成する。この構造によれば、第１のケース部材４及び第２のケース部材５を開き、第１の磁性体２及び第２の磁性体３の間において、凹部２０、３０内にフラットケーブルＦＰＣを配置することができる。そして、第１のケース部材４及び第２のケース部材５を閉じ、第１の磁性体２及び第２の磁性体３によって挟まれたフラットケーブルＦＰＣを、ケーブル挿通路１３の両端から第１の磁性体２及び第２の磁性体３の外部に導出すると共に、ケーブル入口１１及びケーブル出口１２からケースの外部に導出することができる。このとき、フラットケーブルＦＰＣの周りに、第１の磁性体２及び第２の磁性体３による閉磁路が形成される。この閉磁路により、電子機器内で発生し、又は外部で発生して、フラットケーブルＦＰＣ内を伝播するノイズが吸収される。
【００４５】
また、第１のケース部材４及び第２のケース部材５は、一端がヒンジ部１０によって結合されて一体化される。掛止部４６、５６は、他端側に設けられる。この構造によれば、第１のケース部材４及び第２のケース部材５を、ヒンジ部１０を中心にして重ねあわせ、掛止部４６、５６で互いに結合できるので、フラットケーブルＦＰＣに対する装着作業性がよくなる。
【００４６】
図６は本発明に係るノイズ吸収装置の別の実施例を示す斜視図、図７は図６に示したノイズ吸収装置の断面図である。図において、図１乃至図６に現れた構成部分と同一の構成部分には、同一参照符号を付し、重複説明は省略する。
【００４７】
図１乃至図５では第１のケース部材４及び第２のケース部材５はヒンジ部１０で一体化されていた。図６及び図７に示す実施例では、第１のケース部材４及び第２のケース部材５は、互いに独立している。好ましくは、第１のケース部材４及び第２のケース部材５を全く同一の構造とする。したがって、図１乃至図５に示した実施例による作用効果に加えて、型代のコストダウンなどが達成される。但し、第１のケース部材４及び第２のケース部材５は異なる構造であってもよい。
【００４８】
図示実施例では、第１のケース部材４は、枠状部４１の短辺の一辺に、内側に掛け止め孔を有する枠状の掛止部４６を有し、短辺の他辺にフック状の掛止部４７を有する。第２のケース部材５は、枠状部５１の短辺の一辺に、掛け止め孔を有する枠状の掛止部５６を有し、短辺の他辺にフック状の掛止部５７を有する。第１のケース部材４と第２のケース部材５は、掛止部４６と掛止部５７との掛け止め、及び、掛止部４７と掛止部５６との掛け止めによって互いに結合される。
【００４９】
図８は本発明に係るノイズ吸収装置の別の実施例を示す分解斜視図、図９は図８に示したノイズ吸収装置の使用状態を示す斜視図である。図において、図１乃至図６に現れた構成部分と同一の構成部分には、同一参照符号を付し、重複説明は省略する。この実施例では、第１のケース部材４及び第２のケース部材５は、収納部４０、５０を横切る帯状部４４、５４を有する。図示された帯状部４４、５４は、長辺方向に沿う帯状体であって、両端が短辺の略中間で、枠状部材４１、５１にそれぞれ連続する。帯状部４４、５４は、枠状部材４１、５１の下端面（図において）とほぼ同一面となるようには位置されている。また、帯状部４４、５４の長さ方向の中間部には、荷重用押さえ部４５、５５が設けられている。
【００５０】
上述のような構造であると、図９に示した使用状態において、第１の磁性体２、及び、第２の磁性体３に対し、荷重用押さえ部４５、５５を介して、帯状部４４、５４によるばね圧が印加されるので、第１の磁性体２及び第２の磁性体３を密着させ、両者の接触を安定化し、フラットケーブルＦＰＣに安定したノイズ吸収特性を及ぼすことができる。
【００５１】
図１０は本発明に係るノイズ吸収装置の別の実施例と、その使用状態を示す斜視図である。図において、図１乃至図６に現れた構成部分と同一の構成部分には、同一参照符号を付し、重複説明は省略する。この実施例では、第１のケース部材４及び第２のケース部材５は、収納部４０、５０を横切る帯状部４４、５４を有する。図示された帯状部４４（５４）は、枠状部材４１、５１の短辺方向に沿うように設けられる点で、図８及び図９に図示した実施例と異なる。この実施例の場合も、図８及び図９に図示した実施例と、同等の作用効果を奏する。図示は省略するが、帯状部４４、５４は複数設けてもよい。
【００５２】
図１１は本発明に係るノイズ吸収装置の更に別の実施例を示す斜視図である。図において、図１乃至図６に現れた構成部分と同一の構成部分には、同一参照符号を付し、重複説明は省略する。この実施例では、第１のケース部材４及び第２のケース部材５の少なくとも一方、例えば、第２のケース部材５が、枠状部５１に、外部取り付け部５７を有する。図示の外部取付部５７は、先端を矢印状に膨らませた差込タイプである。外部取付部５７は複数個設けるのが好ましい。このような構造であると、外部取付部５７を利用して、回路基板などに設けられた取付孔５８などに、容易に装着し得る。また、装着後の安定性、脱落防止などの観点からも有効である。図示は省略するが、外部取付部として、両面接着テープなどを用いることもできる。
【００５３】
図１２は本発明に係るノイズ吸収装置の別の実施例を示す分解斜視図、図１３は図１２に示したノイズ吸収装置の使用状態を示す斜視図である。図において、図１乃至図６に現れた構成部分と同一の構成部分には、同一参照符号を付し、重複説明は省略する。第１のケース部材４は、フラットケーブルＦＰＣの入り口部及び出口部に、ケーブル押え片４９を有する。第２のケース部材５も、フラットケーブルＦＰＣの入り口部及び出口部に、ケーブル押え５９を有する。この構造によれば、ノイズ吸収装置を、フラットケーブルＦＰＣに対して、浮動しないように、固定して装着できる。
【００５４】
以上、実施例たる添付図面を参照して、本発明の内容を具体的に説明したが、本発明がこのような具体的な実施例にのみ限定されるものでないことは自明である。
【図面の簡単な説明】
【００５５】
【図１】本発明に係るノイズ吸収装置について、その開いた状態を示す斜視図である。
【図２】図１に示したノイズ吸収装置の組み立て状態における斜視図である。
【図３】図１及び図２に示したノイズ吸収装置の閉じた状態の断面図である。
【図４】図１乃至図３に示したノイズ吸収装置の使用に当たって開いた状態を示す図である。
【図５】図１乃至図３に示したノイズ吸収装置の使用状態を示す図である。
【図６】本発明に係るノイズ吸収装置の別の実施例を示す斜視図である。
【図７】図６に示したノイズ吸収装置の断面図である。
【図８】本発明に係るノイズ吸収装置の別の実施例を示す分解斜視図である。
【図９】図８に示したノイズ吸収装置の使用状態を示す斜視図である。
【図１０】本発明に係るノイズ吸収装置の別の実施例と、その使用状態を示す斜視図である。
【図１１】本発明に係るを用いたノイズ吸収装置の更に別の実施例を示す斜視図である。
【図１２】本発明に係るノイズ吸収装置の別の実施例を示す分解斜視図である。
【図１３】図１２に示したノイズ吸収装置の使用状態を示す斜視図である。
【符号の説明】
【００５６】
１                ケース
２                第１の磁性体
３                第２の磁性体
４                第１のケース部材
５                第２のケース部材
【図１】
2005045178.tif 000003
【図２】
2005045178.tif 000004
【図３】
2005045178.tif 000005
【図４】
2005045178.tif 000006
【図５】
2005045178.tif 000007
【図６】
2005045178.tif 000008
【図７】
2005045178.tif 000009
【図８】
2005045178.tif 000010
【図９】
2005045178.tif 000011
【図１０】
2005045178.tif 000012
【図１１】
2005045178.tif 000013
【図１２】
2005045178.tif 000014
【図１３】
2005045178.tif 000015